(57)【要約】【課題】横方向からの外力にも十分に耐え得る緩衝器を提供する。【解決手段】シリンダ２と、シリンダ２の外周側に設けられてシリンダ２との間にリザーバＲを形成する外筒３と、シリンダ２内に移動自在に設けられるピストン５と、シリンダ２内に移動自在に挿入されてピストン５に連結されるロッド４と、シリンダ２および外筒３の開口端に嵌合されてロッド４を移動自在に軸支するロッドガイド８とを備え、ロッドガイド８は、シリンダ側に向けて突出する環状部１７と、反シリンダ側端から環状部１７の内周およびシリンダ側端に開口してリザーバＲに通じる戻り通路２０とを有する。【選択図】        図２
2019086059.tif 000002
【特許請求の範囲】
【請求項１】
シリンダと、
前記シリンダの外周側に設けられて前記シリンダとの間にリザーバを形成する外筒と、
前記シリンダ内に移動自在に設けられるピストンと、
前記シリンダ内に移動自在に挿入されて前記ピストンに連結されるロッドと、
前記シリンダおよび前記外筒の開口端に嵌合されて前記ロッドを移動自在に軸支するロッドガイドとを備え、
前記ロッドガイドは、シリンダ側に向けて突出する環状部と、反シリンダ側端から前記環状部の内周およびシリンダ側端に開口して前記リザーバに通じる戻り通路とを有する
ことを特徴とする緩衝器。
【請求項２】
前記ロッドガイドは、前記環状部の内周側に外径が前記環状部の内径よりも小径の嵌合部を有し、
前記シリンダが大径の場合、前記シリンダは、前記ロッドガイドの前記環状部の内周に嵌合され、
前記シリンダが小径の場合、前記シリンダは、前記ロッドガイドの前記嵌合部の外周に嵌合される
ことを特徴とする請求項１に記載の緩衝器。
【請求項３】
前記環状部は、前記ロッドガイドの軸方向で前記嵌合部と重なる位置に設けられており、
前記ロッドガイドの外周と前記環状部の外周が面一とされている
ことを特徴とする請求項２に記載の緩衝器。
【請求項４】
前記環状部は、前記ロッドガイドの軸方向で前記嵌合部よりも反シリンダ側に後退した位置に設けられている
ことを特徴とする請求項２に記載の緩衝器。
【請求項５】
前記戻り通路は、前記ロッドガイドの軸方向に沿って貫通する孔で形成されている
ことを特徴とする請求項１から４のいずれか一項に記載の緩衝器。
【請求項６】
前記ロッドガイドの中心を中心として、前記戻り通路における前記環状部の内周への開口における中心角をθ１とし、前記戻り通路における前記開口よりも奥側の中心角をθ２とすると、θ１≧θ２であって、中心角θ２が中心角θ１の範囲内に位置している
ことを特徴とする請求項１から５のいずれか一項に記載の緩衝器。
【発明の詳細な説明】
【技術分野】
【０００１】
本発明は、緩衝器に関する。
【背景技術】
【０００２】
一般に、複筒型の緩衝器にあっては、シリンダと、シリンダの外側に設けられるとともにシリンダとの間にリザーバを形成する外筒と、シリンダ内に移動自在に挿入されてシリンダ内をロッド側室とピストン側室の２室に区画するピストンと、シリンダ内に移動自在に挿入されてピストンに連結されるロッドと、シリンダおよび外筒の上端に嵌合されてロッドを移動自在に軸支するロッドガイドとを備えている。そして、シリンダ内には、作動油が充填され、リザーバ内には、作動油と不活性ガスが充填されている。
【０００３】
一般的は、緩衝器では、シリンダ径が予め決まっており、ロッドガイドは決められた径のシリンダにのみ対応している。車両への搭載スペースの関係から緩衝器の外径を変えずに減衰力を高くしたい場合、ピストンの受圧面積を大きくすればよいが、そうするとシリンダ径を大きくしなければならない。他方、減衰力を高くする必要がない場合には、ピストン径およびシリンダ径を大きくする必要はない。このように、減衰力の高低の要求に応じてシリンダ径を変更するに際して、ロッドガイドも変更しなければならないとすると、複数種類のロッドガイドを管理しなければならず、誤組等に対する措置も必要となってくる。
【０００４】
よって、前述の緩衝器では、径の異なるシリンダにも対応できるように、ロッドガイドのシリンダ側端に環状溝を設けている。大径のシリンダを使用する場合には、環状溝の外側の側面にシリンダの外周面を嵌合させ、また、小径のシリンダを使用する場合には、環状溝の内側の側面にシリンダの内周面を嵌合させる。このように従来の緩衝器では、ロッドガイドに径の異なる２種類のシリンダの嵌合を許容する環状溝を設けて、径の異なる２種類のシリンダに対応可能としている（例えば、特許文献１参照）。
【先行技術文献】
【特許文献】
【０００５】
【特許文献１】特許第６０８０２５７号公報
【発明の概要】
【発明が解決しようとする課題】
【０００６】
ところで、複筒型の緩衝器では、シリンダ内からロッドとロッドガイドとの間を通過してロッドガイドよりも上方へ移動した作動油をリザーバへ戻すために、ロッドガイドにこれを上下に貫通する連通孔を設けている。連通孔は、リザーバへの連通が要求されるため、ロッドガイドの上端から開口して下端の環状溝よりも外周側のリザーバに面する部位に開口している。
【０００７】
このように連通孔をロッドガイドに設けると、ロッドガイドの環状溝と連通孔との間の肉厚が薄くなり、ロッドガイドのシリンダに嵌合する外周側の強度が低下してしまう。そして、緩衝器を車両のサスペンションに組み込む場合、緩衝器には横方向から外力（横力）が作用するが、このような横力に対する耐久性に乏しくなってしまうという問題がある。
【０００８】
そこで、本発明は、上記不具合を改善するために創案されたものであって、その目的とするところは、横方向からの外力にも十分に耐え得る緩衝器を提供する。
【課題を解決するための手段】
【０００９】
本発明の緩衝器は、ロッドガイドがシリンダ側に向けて突出する環状部と、反シリンダ側端から環状部の内周およびシリンダ側端に開口してリザーバに通じる戻り通路とを有している。このように構成された緩衝器によれば、戻り通路が反シリンダ側端から環状部の内周およびシリンダ側端に開口するようになっているので、環状部に戻り通路を設けても環状部の肉厚を確保でき、ロッドガイドの強度の低下を招かない。
【００１０】
また、ロッドガイドが大径のシリンダの嵌合を可能とする環状部の内周側に小径のシリンダの嵌合を可能とする環状部より小径の嵌合部を有していてもよい。このように構成された緩衝器では、単一のロッドガイドで径の異なる２種類のシリンダに対応できるので、部品管理が煩雑とならず、製造過程で誤組も発生せず、さらに、製造コストも安価となる。
【００１１】
さらに、環状部がロッドガイドの軸方向で嵌合部と重なる位置に設けられ、ロッドガイドの外周と環状部の下端とが面一とされている場合、ロッドガイドにおける外筒への嵌合長を長く確保でき、横力の入力に対して強度上有利となる。
【００１２】
また、環状部がロッドガイドの軸方向で嵌合部よりも反シリンダ側に後退した位置に設けられている場合、ロッドガイドの材料費が安価となり緩衝器の製造コストが低減される。
【００１３】
そして、戻り通路がロッドガイドの軸方向に沿って貫通する孔で形成される場合には、ロッドガイドを焼結加工する際に戻り通路も金型で成形できるので、ロッドガイドの加工が容易となり緩衝器の製造コストを削減できる。
【００１４】
また、ロッドガイドの中心を中心として、戻り通路における環状部の内周への開口における中心角をθ１とし、戻り通路における開口よりも奥側の中心角をθ２とすると、θ１≧θ２であって、中心角θ２が中心角θ１の範囲内に位置するようにしてもよい。このように戻り通路を形成すると、戻り通路の環状部の内周への開口の両側に脆弱部が形成されなくなり、緩衝器に横力が作用しても環状部の変形が阻止されて戻り通路の断面形状を維持できる。
【発明の効果】
【００１５】
本発明の緩衝器によれば、横方向からの外力にも十分に耐え得る。
【図面の簡単な説明】
【００１６】
【図１】一実施の形態における緩衝器の縦断面図である。
【図２】一実施の形態における緩衝器のロッドガイドの拡大平面図である。
【図３】一実施の形態における緩衝器の一部半裁拡大断面図である。
【図４】一実施の形態における緩衝器のロッドガイドの拡大斜視図である。
【図５】一実施の形態における緩衝器のロッドガイドの一部拡大背面図である。
【図６】一実施の形態の第一変形例における緩衝器のロッドガイドの一部拡大背面図である。
【図７】一実施の形態の第二変形例における緩衝器のロッドガイドの拡大背面図である。
【発明を実施するための形態】
【００１７】
以下、本発明の緩衝器を図面に基づいて説明する。一実施の形態の緩衝器１は、図１に示すように、シリンダ２と、シリンダ２の外周側にシリンダ２を覆うように設けられてシリンダ２との間にリザーバＲを形成する外筒３と、シリンダ２内に移動自在に挿入されてシリンダ２内をロッド側室Ｒ１とピストン側室Ｒ２とに区画するピストン５と、シリンダ２内に移動自在に挿入されるとともに下端がピストン５に連結されるロッド４と、シリンダ２および外筒３の開口に嵌合されてロッド４を移動自在に軸支するロッドガイド８と、ロッドガイド８の上方に積層されて緩衝器１内を密封するシール部材２２とを備えている。
【００１８】
シリンダ２は、筒状であって、開口上端がロッドガイド８によって閉塞されるとともに、開口下端が図示しないバルブケースによって閉塞されている。
【００１９】
シリンダ２のロッド側室Ｒ１内、及びピストン側室Ｒ２内には、それぞれ作動油等の液体が充填され、シリンダ２と外筒３との間のリザーバＲ内には、作動油等の液体と不活性ガス等の気体とが充填されている。なお、液体は、本例では、作動油とされているが、水や水溶液等といった他の液体とされてもよい。また、気体は、本例では、作動油の劣化を招かない窒素等の不活性ガスとされるとよいが、大気等、他の気体の利用も可能である。
【００２０】
ピストン５には、ロッド側室Ｒ１とピストン側室Ｒ２とを連通する２つの通路５ａ、５ｂが設けられている。一方の通路５ａには、ピストン側室Ｒ２からロッド側室Ｒ１へ向かう液体の流れのみを許容するチェックバルブ６が設けられている。また、他方の通路５ｂには、ロッド側室Ｒ１からピストン側室Ｒ２へ向かう液体の流れのみを許容するとともに、通過する液体の流れに抵抗を与える伸側減衰バルブ７が設けられている。
【００２１】
外筒３は、筒状であって図外の下端が閉塞されており、図１中で上端がロッドガイド８によって閉塞されている。そして、外筒３とシリンダ２との間にリザーバＲが形成されている。
【００２２】
リザーバＲは、上端がロッドガイド８によって閉塞され、下端が前記したバルブケースによって閉塞されている。バルブケースは、図示はしないが、ピストン側室Ｒ２とリザーバＲとを連通する２つの通路が設けられている。また、一方の通路には、リザーバＲからピストン側室Ｒ２へ向かう液体の流れのみを許容するチェックバルブが設けられている。さらに、他方の通路には、ピストン側室Ｒ２からリザーバＲへ向かう液体の流れのみを許容するとともに、通過する液体の流れに抵抗を与える圧側減衰バルブが設けられている。
【００２３】
ロッドガイド８は、図１から図４に示すように、環状であって、シリンダ２および外筒３の開口端に嵌合して、シリンダ２および外筒３の上端開口部を閉塞している。ロッドガイド８は、内周に下端側から小径部９と小径部９よりも大径の大径部１０とを備えており、この大径部１０に筒状のロッド４の軸方向の移動を案内するベアリング２１が嵌合されている。
【００２４】
また、ロッドガイド８の上端側には、大径部１０の外径よりも大径の環状凹部１１が設けられるとともに、環状凹部１１の外周側には環状の段部１２と、段部１２の外周側から図１中上方へ突出する環状の凸部１３が設けられている。
【００２５】
凸部１３における上面１３ａは、水平面とされており、凸部１３における内周面１３ｂは、上面１３ａの内周端から段部１２の外周端に向けて斜め下方に傾斜するテーパ面として形成されている。また、ロッドガイド８の上端の凸部１３よりも外周には、全周に亘って形成される環状凹部１４が設けられている。
【００２６】
図２から図４に示すように、凸部１３の二箇所に所定の幅、深さで切り欠かれた切欠部１３ｃが設けられている。切欠部１３ｃは、凸部１３の内周から上面１３ａの外周にかけて切欠かれた形状となっており、上面１３ａの外周から凸部１３の内周に向かって所定の角度で下方に傾斜する傾斜面となっている。
【００２７】
また、図１および図３に示すように、ロッドガイド８の下端外周には、図中下方に突出する環状部１７が設けられており、環状部１７の内周には、環状部１７に対向するとともに、環状部１７の内径よりも小さな外径を持つ嵌合部１９が設けられている。つまり、環状部１７は、ロッドガイド８の軸方向で嵌合部１９と重なる位置に設けられている。また、ロッドガイド８の外周と環状部１７の外周が面一とされている。そして、環状部１７の内周と嵌合部１９との間は、環状の溝１８となっており、この溝１８の幅は、シリンダ２の肉厚よりも広い幅に設定されていて、溝１８は、シリンダ２の挿入を許容するようになっている。そして、ロッドガイド８を軸方向から見ると、環状部１７の内周面は、切欠部１３ｃの内周と外周との間に位置するようになっており、ロッドガイド８は、この切欠部１３ｃから開口して溝１８に通じる戻り通路２０を備えている。また、ロッドガイド８の外周と環状部１７の外周とが面一とされており、ロッドガイド８の環状凹部１４の下端から環状部１７の下端までが外筒３の内周に当接する。
【００２８】
戻り通路２０は、図２および図３に示すように、上下方向に沿ってロッドガイド８を貫通し、ロッドガイド８の反シリンダ側端から開口して環状部１７の内周およびシリンダ側端に通じる孔で形成されている。戻り通路２０は、ロッドガイド８を軸方向から見て切欠部１３ｃ側の開口は円形であって環状部１７の内周に係る位置に設けられている。よって、戻り通路２０は、切欠部１３ｃから開口し、溝１８の底面に開口するとともに、環状部１７の内周部を抉って環状部１７の下端にまで通じている。つまり、戻り通路２０は、環状部１７の内周とシリンダ側端に開口しており、図５に示すように、戻り通路２０における環状部１７の下端側の開口は、切欠部１３ｃ側の円形の開口を環状部１７の内周縁で切り取った三日月状の形状とされている。なお、戻り通路２０は、環状部１７の内周に開口して下端まで通じていればよく、溝１８の底部に開口しなくてもよい。したがって、戻り通路２０における切欠部１３ｃの開口も円形を環状部１７の内周縁で切り取った三日月形状として、そのまま環状部１７の下端まで同一形状で貫通させるようにして戻り通路２０を形成してもよい。なお、戻り通路２０の断面は、図５に記載した戻り通路２０を例にすれば、ロッドガイド８の中心Ｏと環状部１７の内周への開口Ｈの周方向両端とを結んだ線で囲まれる角度が、前記中心Ｏと奥側の周方向両端とを結んだ線で囲まれる角度以上となっており、かつ、前者の角度の範囲内に後者の角度があるようにするのが好ましい。つまり、ロッドガイド８の中心Ｏを中心として、戻り通路２０における環状部１７の内周への開口Ｈにおける中心角をθ１とし、戻り通路２０における開口Ｈよりも奥側における中心角をθ２とすると、開口Ｈよりも奥側の全ての箇所において、θ１≧θ２であって、中心角θ２が中心角θ１の範囲内に位置するようにするのが好ましい。
【００２９】
中心角θ１より中心角θ２が大きい場合、図６に示すように、環状部１７における戻り通路２０の環状部１７の内周への開口Ｈの周方向両端に面する部位の肉厚が非常に薄くなり強度が低くなる脆弱部Ｊが形成される。そして、環状部１７の内周にシリンダ２を嵌合させた場合、ロッド４から横方向の外力（横力）がロッドガイド８に作用すると環状部１７とシリンダ２との接触部位に荷重がかかるので、前述の脆弱部Ｊが荷重に晒される。このような理由から、ロッドガイド８の中心Ｏを中心として、戻り通路２０における環状部１７の内周への開口Ｈにおける中心角をθ１とし、戻り通路２０における開口Ｈよりも奥側の中心角をθ２とすると、θ１≧θ２であって、中心角θ２が中心角θ１の範囲内に位置するようにすると脆弱部Ｊの形成が阻止される。なお、ロッドガイド８の中心Ｏから見て戻り通路２０の断面形状が屈曲するような形状となると、中心角θ１の範囲から中心角θ２が出てしまうため、横力に対して強度が弱くなる脆弱部Ｊが形成されてしまう。
【００３０】
また、溝１８を避けて戻り通路２０を環状部１７の内周と下端に通じるように形成する場合、図６に示す第一変形例の緩衝器のロッドガイド８のように、戻り通路２０の断面形状を円弧状としてもよい。この場合、溝１８の底部を避ける場合には、ロッドガイド８を軸方向に見て円弧状の戻り通路２０の内周を環状部１７の内周に合致した曲率にすればよい。戻り通路２０は、少なくとも、ロッドガイド８の軸方向に沿って形成されて環状部１７の内周と下端に通じていればよく、戻り通路２０の断面形状は、任意である。よって、たとえば、切欠部１３ｃ側の開口を矩形その他の形状としてもよい。
【００３１】
シリンダ２は、ロッドガイド８の溝１８内に挿入されて、上端開口部が閉塞される。このロッドガイド８には、径の異なるシリンダ２の嵌合が可能とされている。具体的には、シリンダ２は、外周をロッドガイド８の環状部１７の内周に嵌合させるか、或いは、溝１８の内周側の側壁を嵌合部１９として当該嵌合部１９に内周を嵌合させて、ロッドガイド８に嵌合できる。つまり、図中で実線で示す大径のシリンダ２を採用する場合、シリンダ２の外径を環状部１７の内周に嵌合可能な径とすればよく、図中で破線で示す小径のシリンダ２を採用する場合、シリンダ２の内径を溝１８の内周側の側壁である嵌合部１９に嵌合可能な径とすればよい。このように、本例のロッドガイド８では、二つの径の異なるシリンダ２の嵌合を許容している。そして、大径のシリンダ２を溝１８内に挿入して環状部１７の内周に嵌合させても、戻り通路２０は、環状部１７の内周と下端であるシリンダ側端へ通じており、シリンダ２によっては閉塞されない。小径のシリンダ２を溝１８に嵌合させても同様に戻り通路２０は閉塞されない。このように、ロッドガイド８にシリンダ２を嵌合させると、外筒３とシリンダ２との間にリザーバＲが形成され、リザーバＲの上端がロッドガイド８に閉塞されるとともに戻り通路２０に連通される。
【００３２】
つづいて、シール部材２２は、環板状のインサートメタル２３と、インサートメタル２３の内周側に一体に設けられる環状の内周シール２４と、インサートメタル２３の外周側に一体に設けられる環状の外周シール２５と、インサートメタル２３の下端に一体に設けられる環状のチェックシール２６とを備えている。
【００３３】
内周シール２４、外周シール２５およびチェックシール２６は、ゴム等の弾性体で形成されており、溶着や接着等の手段によってインサートメタル２３に一体に設けられている。
【００３４】
内周シール２４は、ロッド４の外周にロッド４の軸方向移動を許容しつつ当接しており、ロッド４の外周をシールしている。外周シール２５は、ロッドガイド８の外周に形成された環状凹部１４内に収容されて、ロッドガイド８と外筒３の内周面とに密着している。そして、シール部材２２は、外筒３の開口上端の加締め加工によってロッドガイド８の図１中上方に積層された状態で固定され、シリンダ２及び外筒３の開口上端を密封している。
【００３５】
また、チェックシール２６は、撓んだ状態で先端をロッドガイド８の段部１２に当接しており、ロッドガイド８に当接した状態では、ロッドガイド８の上方を内周シール２４の背面側の空間Ａと戻り通路２０に通じる空間Ｂとに仕切っている。そして、ロッド４がシリンダ２から退出する際に、内周シール２４がロッド４の外周に付着した作動油を掻き落とすので、緩衝器１が伸縮を繰り返すと、空間Ａ内に作動油が蓄積される。空間Ａ内の圧力が高まるとチェックシール２６が撓んでロッドガイド８の段部１２から離間して空間Ａを空間Ｂに連通させるので、空間Ａに溜った作動油を戻り通路２０を介してリザーバＲへ排出できる。
【００３６】
上記のように構成した本実施の形態の緩衝器１にあっては、ロッドガイド８がシリンダ側に向けて突出する環状部１７と、反シリンダ側端から環状部１７の内周およびシリンダ側端に開口してリザーバＲに通じる戻り通路２０とを有している。このように構成された緩衝器１によれば、戻り通路２０が反シリンダ側端から環状部１７の内周およびシリンダ側端に開口するようになっているので、環状部１７に戻り通路２０を設けても、環状部１７の肉厚を確保でき、ロッドガイド８の強度の低下を招かない。
【００３７】
このように構成された緩衝器１では、ロッドガイド８の強度を確保できるので、緩衝器１の横力に対する耐久性が乏しくなる問題が解消される。よって、本発明の緩衝器１によれば、横方向からの外力にも十分に耐え得る。
【００３８】
また、本例の緩衝器１では、前記環状部１７がロッドガイド８の軸方向で嵌合部１９と重なる位置に設けられ、ロッドガイド８の外周と環状部１７の外周が面一とされているので、ロッドガイド８における外筒３への嵌合長を長く確保できる。このように緩衝器１が構成されると、緩衝器１に横力が作用した際に外筒３に当接するロッドガイド８の面圧を低くでき、横力の入力に対して強度上有利となる。
【００３９】
また、戻り通路２０は、ロッドガイド８の軸方向に沿ってロッドガイド８を真っ直ぐに貫通する孔で形成されるので、ロッドガイド８を焼結加工する場合に、戻り通路２０も金型で成形できるから、ロッドガイド８の加工が容易となり緩衝器１の製造コストを削減できる。
【００４０】
また、緩衝器１に高い減衰力を発揮させる場合、ピストン５の受圧面積を大きく方が有利であり、大径のシリンダ２の利用が好ましい。他方、緩衝器１に要求される減衰力がさほど高くない場合には、コスト面からして小径のピストン５と小径のシリンダ２の利用が好ましい。本例の緩衝器１では、前述のように、大径のシリンダ２の嵌合が可能な環状部１７の内周側に小径のシリンダ２の嵌合が可能な嵌合部１９が設けられており、単一のロッドガイド８で径の異なる２種類のシリンダ２に対応できる。このように、緩衝器１に要求される仕様によってシリンダ２およびピストン５の径を選択が必要となるが、ロッドガイド８の変更は不要となるから、部品管理が煩雑とならず、製造過程で誤組も発生せず、さらに、製造コストも安価となる。
【００４１】
さらに、本例では、ロッドガイド８の中心を中心として、戻り通路２０における環状部１７の内周への開口Ｈにおける中心角をθ１とし、戻り通路２０における開口Ｈよりも奥側の中心角をθ２とすると、θ１≧θ２であって、中心角θ２が中心角θ１の範囲内に位置するようにしてある。このように、戻り通路２０を形成すると、戻り通路２０の環状部１７の内周への開口Ｈの両側に脆弱部Ｊが形成されなくなり、緩衝器１に横力が作用しても環状部１７の変形が阻止されて戻り通路２０の断面形状を維持できる。
【００４２】
また、図７に示した第二変形例の緩衝器のように、ロッドガイド８に設けられる環状部１７は、嵌合部１９に対してロッドガイド８の軸方向で反シリンダ側に後退した位置に設けられてもよい。
【００４３】
このようにすると、環状部１７の長さを短くできるので、図７中破線と一点鎖線で示す大小径の異なるシリンダ２の嵌合を許容しつつもロッドガイド８の体積を図１に示したロッドガイド８の体積よりも小さくできる。よって、この第一変形例の緩衝器では、ロッドガイド８の材料費を少なくでき、緩衝器の製造コストを低減できる。
【００４４】
以上、本発明の好ましい実施の形態を詳細に説明したが、特許請求の範囲から逸脱しない限り、改造、変形、及び変更が可能である。
【符号の説明】
【００４５】
１・・・緩衝器、２・・・シリンダ、３・・・外筒、４・・・ロッド、５・・・ピストン、８・・・ロッドガイド、１７・・・環状部、２０・・・戻り通路、Ｒ・・・リザーバ
【図１】
2019086059.tif 000003
【図２】
2019086059.tif 000004
【図３】
2019086059.tif 000005
【図４】
2019086059.tif 000006
【図５】
2019086059.tif 000007
【図６】
2019086059.tif 000008
【図７】
2019086059.tif 000009